(57)【要約】【課題】複数の収納部を有し、外袋にあたる収納部に物を挿入しやすいバッグを提供する。【解決手段】バッグ１は、第一収納部２と第二収納部３とを備える。第一収納部２は、第一底部４と、第一底部４につながって上下方向に延びる第一側部５とによって袋状に形成される。第二収納部３は、第一収納部２に結合された第二底部７と、第二底部７につながって上下方向に延びる第二側部８と、第一側部５とによって形成される。第一側部５の上下方向の上側の端部である第一稜線６ａの周長Ｌ１と、第二側部８の上下方向の上側の端部である第二稜線９ａの周長Ｌ２との差と、第一底部４を形成する周長Ｌ３と第二底部７を形成する周長Ｌ４との差とは異なる長さである。【選択図】図３
2020000337.tif 000002
【特許請求の範囲】
【請求項１】
第一底部と、前記第一底部につながって上下方向における上側に延びる第一側部とによって袋状に形成された第一収納部と、
前記第一収納部に結合された第二底部と、前記第二底部につながって前記上下方向における上側に延びる第二側部と、前記第一側部とによって形成された第二収納部とを備え、
前記上下方向と直交する方向を平面方向としたとき、
前記第一収納部は、前記第一側部の前記上下方向の上側の端部である第一稜線によって第一開口部が形成され、
前記第二側部は、前記第一側部における前記平面方向の外側に沿って全周に形成され、
前記第二収納部は、前記第二側部の前記上下方向の上側の端部である第二稜線と、前記第一稜線とによって囲まれた第二開口部が環状に形成され、
前記第一稜線の周長と前記第二稜線の周長との差と、前記第一底部を形成する周長と前記第二底部を形成する周長との差とは異なる長さであることを特徴とするバッグ。
【請求項２】
前記第一稜線の周長と前記第二稜線の周長との差は、前記第一底部を形成する周長と前記第二底部を形成する周長との差よりも大きいことを特徴とする請求項１に記載のバッグ。
【請求項３】
前記第一開口部は、前記平面方向における外側に向かって拡張可能であることを特徴とする請求項２に記載のバッグ。
【請求項４】
前記第一開口部は、前記第一側部の一部を互いに折り重ねて接合する重ね接合部材を備え、前記第一稜線の周長は、前記重ね接合部材が接合したときに、前記重ね接合部材が接合していないときに比べて小さくなることを特徴とする請求項３に記載のバッグ。
【請求項５】
前記第一側部は伸縮性を有する素材によって形成され、前記第一開口部は前記平面方向において伸縮可能であり、自然状態では前記第一稜線の周長は、前記第一底部を形成する周長よりも小さいことを特徴とする請求項３に記載のバッグ。
【請求項６】
前記第一稜線の周長と前記第二稜線の周長との差は、前記第一底部を形成する周長と前記第二底部を形成する周長との差よりも小さいことを特徴とする請求項１に記載のバッグ。
【請求項７】
前記第一側部と接合して前記第二開口部を覆う蓋部を備えたことを特徴とする請求項１から６の何れかに記載のバッグ。
【請求項８】
前記第一側部は、前記上側の端部に第一接合部材を備え、
前記第二側部は、前記上側の端部に第二接合部材を備え、
前記第二側部は前記第一側部よりも前記上側に長く形成され、前記第二側部の前記上側の一部が前記第一側部の前記平面方向の内側に折り込まれ、前記第一接合部材と前記第二接合部材とが接合することで前記第二開口部が覆われることを特徴とする請求項７に記載のバッグ。
【請求項９】
前記蓋部は、前記第一側部と前記第二側部とに接合可能な蓋部材を備え、
前記蓋部材が前記第二開口部に装着される方向において、前記蓋部材は、前記第二開口部の平面形状に沿って形成された環状の部材であって、天板部と前記天板部より下側に向かって形成された蓋第一側部と蓋第二側部とを備え、
前記蓋第一側部は前記天板部に対して前記平面方向の内側に環状に形成され、前記蓋第二側部は前記天板部に対して前記平面方向の外側に環状に形成され、
前記蓋第一側部と前記蓋第二側部とによって下側に向かって開口する環状の蓋開口部が形成され、
前記蓋第一側部における前記平面方向の外側に第一蓋接合部と、前記蓋第二側部における前記平面方向の内側に第二蓋接合部が備えられ、
前記第一側部は、前記平面方向の内側に第三接合部を備え、
前記第二側部は、前記平面方向の外側に第四接合部を備え、
前記蓋部材が前記第二開口部に取り付けられたとき、前記第一蓋接合部と前記第三接合部、及び前記第二蓋接合部と前記第四接合部とが接合することを特徴とする請求項７に記載のバッグ。
【請求項１０】
前記第二側部は透明であることを特徴とする請求項１から９のいずれかに記載のバッグ。
【請求項１１】
前記第一収納部の内側より前記上側に向かって提手を備えたことを特徴とする請求項１から１０の何れかに記載のバッグ。
【発明の詳細な説明】
【技術分野】
【０００１】
本発明は、複数の収納部を有するバッグに関する。
【背景技術】
【０００２】
従来、複数の収納部を有するバッグが知られている。例えば、特許文献１に記載の濡れ物用バッグは、底部に透水手段を設けたバッグ本体と、該バッグ本体を収容自在とするカバー体とからなるものである。この構成によれば、バッグ本体と、バッグ本体及びカバー体との間の複数の箇所に物を収納することができる。
【先行技術文献】
【特許文献】
【０００３】
【特許文献１】特開２００７−２７５４８７号公報
【発明の概要】
【発明が解決しようとする課題】
【０００４】
しかしながら、従来例ではバッグ本体（内袋という）と、バッグ本体及びカバー体との間（外袋という）の複数箇所に収納部を有するが、外袋に物を収納することが考慮されていない。例えば、外袋に比較的厚みが薄く長手方向に長い物を収納することが考えられる。或いは、環状の物をその形状を保ったまま収納することが考えられる。外袋を構成するバッグ本体とカバー体との間の隙間が考慮されておらず、外袋に物を収納する際に入れにくいという問題があった。
【０００５】
本発明の目的は、従来の課題を解決すべくなされたものであり、複数の収納部を有し、外袋にあたる収納部に物を挿入しやすいバッグを提供することにある。
【課題を解決するための手段】
【０００６】
本発明の態様に係るバッグは、第一底部と、前記第一底部につながって上下方向における上側に延びる第一側部とによって袋状に形成された第一収納部と、前記第一収納部に結合された第二底部と、前記第二底部につながって前記上下方向における上側に延びる第二側部と、前記第一側部とによって形成された第二収納部とを備え、前記上下方向と直交する方向を平面方向としたとき、前記第一収納部は、前記第一側部の前記上下方向の上側の端部である第一稜線によって第一開口部が形成され、前記第二側部は、前記第一側部における前記平面方向の外側に沿って全周に形成され、前記第二収納部は、前記第二側部の前記上下方向の上側の端部である第二稜線と、前記第一稜線とによって囲まれた第二開口部が環状に形成され、前記第一稜線の周長と前記第二稜線の周長との差と、前記第一底部を形成する周長と前記第二底部を形成する周長との差とは異なる長さであることを特徴とする。
【０００７】
これによれば、第一稜線の周長と第二稜線の周長との差と、第一底部を形成する周長と第二底部を形成する周長との差とは異なる長さなので、第二収納部は平面方向において第二開口部と第二底部とで隙間が異なる。よって、物を挿入するときにスムーズに挿入することができる。
【０００８】
また、前記バッグは、前記第一稜線の周長と前記第二稜線の周長との差が、前記第一底部を形成する周長と前記第二底部を形成する周長との差よりも大きくてもよい。この場合、第二収納部は、第二底部に比べて第二開口部における平面方向の隙間の方が大きい。よって、第二収納部に物を収納するときにスムーズに挿入することができる。
【０００９】
また、前記バッグは、前記第一開口部が、前記平面方向における外側に向かって拡張可能であってもよい。この場合、第一開口部は平面方向に拡張して第二開口部との隙間を小さくすることができるので、第二開口部の上側の端部を閉じやすくなる。
【００１０】
また、前記バッグは、前記第一側部の一部を互いに折り重ねて接合する重ね接合部材を備え、前記第一稜線の周長は、前記重ね接合部材が接合したときに、前記重ね接合部材が接合していないときに比べて小さくなってもよい。
【００１１】
この場合、第一収納部は重ね接合部材を接合させることにより、第一底部に比べて第一稜線の周長を短くすることができる。よって、第一底部と第二底部との平面方向の隙間に比べて第一開口部と第二開口部との平面方向の隙間を大きくすることができるので、第二収納部にスムーズに物を収納することができる。さらに、重ね接合部材を分離することにより、第一開口部を平面方向の外側に拡張することができる。
【００１２】
また、前記バッグは、前記第一側部が伸縮性を有する素材によって形成され、前記第一開口部は前記平面方向において伸縮可能であり、自然状態では前記第一稜線の周長は、前記第一底部を形成する周長よりも小さくてもよい。
【００１３】
この場合、第二収納部に物を収入するときに、第二開口部の平面方向における隙間が大きいので挿入しやすい。また、第二収納部に物を収納した後には第一開口部を平面方向に広げることができるので、第二開口部の上側の端部を閉じやすくなる。
【００１４】
また、前記バッグは、前記第一稜線の周長と前記第二稜線の周長との差が、前記第一底部を形成する周長と前記第二底部を形成する周長との差よりも小さくてもよい。この場合、第二収納部は第二開口部から第二底部へ進むに従って平面方向の隙間が広がっていく。よって、バッグは、第二収納部に物を挿入するとき、第二開口部に挿入した後は物をスムーズに第二底部へ進めることができる。
【００１５】
また、前記バッグは、前記第一側部と接合して前記第二開口部を覆う蓋部を備えてもよい。この場合、第二開口部が蓋部で覆われるので、バッグは第二収納部への雨や埃等の侵入を防ぐことができる。
【００１６】
また、前記バッグは、前記第一側部が前記上側の端部に第一接合部材を備え、前記第二側部は、前記上側の端部に第二接合部材を備え、前記第二側部は前記第一側部よりも前記上側に長く形成され、前記第二側部の前記上側の一部が前記第一側部の前記平面方向の内側に折り込まれ、前記第一接合部材と前記第二接合部材とが接合することで前記第二開口部が覆われてもよい。
【００１７】
この場合、第二側部が蓋の機能を備え、第二開口部を覆うことができる。よって、別部品として蓋を用意する必要が無く、第二収納部への雨や埃等の侵入を防ぐことができる。
【００１８】
また、前記バッグは、前記蓋部が、前記第一側部と前記第二側部とに接合可能な蓋部材を備え、前記蓋部材が前記第二開口部に装着される方向において、前記蓋部材は、前記第二開口部の平面形状に沿って形成された環状の部材であって、天板部と前記天板部より下側に向かって形成された蓋第一側部と蓋第二側部とを備え、前記蓋第一側部は前記天板部に対して前記平面方向の内側に環状に形成され、前記蓋第二側部は前記天板部に対して前記平面方向の外側に環状に形成され、前記蓋第一側部と前記蓋第二側部とによって下側に向かって開口する環状の蓋開口部が形成され、前記蓋第一側部における前記平面方向の外側に第一蓋接合部と、前記蓋第二側部における前記平面方向の内側に第二蓋接合部が備えられ、前記第一側部は、前記平面方向の内側に第三接合部を備え、前記第二側部は、前記平面方向の外側に第四接合部を備え、前記蓋部材が前記第二開口部に取り付けられたとき、前記第一蓋接合部と前記第三接合部、及び前記第二蓋接合部と前記第四接合部とが接合してもよい。
【００１９】
この場合、蓋部材は蓋第一側部と蓋第二側部とによって下側に向かって開口する環状の蓋開口部が形成されるので、平面方向において所定の幅を有する。よって、第二開口部が平面方向において所定の幅を有する場合であっても、蓋部材は第二開口部を覆うことができる。
【００２０】
また、前記バッグは、前記第二側部が透明であってもよい。この場合、第二側部から第二収納部に収納された物を目視することができる。
【００２１】
また、前記バッグは、前記第一収納部の内側より前記上側に向かって提手を備えてもよい。この場合、第二収納部の外周に提手が無いので、第二収納部に物を収納しやすい。
【図面の簡単な説明】
【００２２】
【図１】第一の実施形態のバッグ１ａを示した斜視図であり、第二収納部３に物１００が収納された状態を示す。
【図２】第一の実施形態のバッグ１ａを示した図であり、（ａ）は上側から見た平面図であり、第一収納部が閉じられた状態を示し、（ｂ）は（ａ）のＡ視図である。
【図３】第一の実施形態のバッグ１ａを示した斜視図であり、第一開口部６と第二開口部９が開口した状態を示す。
【図４】第一の実施形態のバッグ１ａを示した図であり、（ａ）は図３におけるバッグ１ａを上側から見た平面図であり、（ｂ）は（ａ）における断面Ｂ−Ｂである。
【図５】第一の実施形態のバッグ１ａを示した図であって図４における部分的な説明図であり、（ａ）はＣ部を展開した図であり、（ｂ）はＤ部の部分拡大図であって第一底部４と第二底部７とが面ファスナー３５で接合された図であり、（ｃ）はＤ部の部分拡大図であって第一底部４と第二底部７とがボタン３６で接合された図であり、（ｄ）はＨ部の部分拡大図である。
【図６】第一の実施形態のバッグ１ａを示した図であって図４（ａ）における断面Ｂ−Ｂであり、（ａ）は第二収納部３に物１００を挿入したのちに第一開口部６を平面方向に拡張した状態を示した図であり、（ｂ）は（ａ）からさらに第二開口部９を蓋部１５（第一接合部材１６と第二接合部材１７が面ファスナーの場合）で覆った状態を示した図である。
【図７】第一の実施形態のバッグ１ａを示した図であり、図４（ｂ）からさらに第二収納部３に物１００を挿入し蓋部１５（第一接合部材１６と第二接合部材１７がボタンの場合）によって第二開口部９が覆われた状態を示す。
【図８】第二の実施形態のバッグ１ｂを示した図であり、（ａ）はバッグ１ｂを上側から見た平面図であり、（ｂ）は（ａ）における断面Ｅ−Ｅであって第一開口部６と第二開口部９が開口した状態を示す。
【図９】第三の実施形態のバッグ１ｃを示した図であり、（ａ）はバッグ１ｃを上側から見た平面図であり、（ｂ）は（ａ）における断面Ｇ−Ｇである。
【図１０】第三の実施形態のバッグ１ｃを示した図であり、図９（ｂ）からさらに第二収納部３に物１００が収納され、蓋部１５によって第二開口部９が覆われた状態を示す。
【図１１】第四の実施形態のバッグ１ｄを示した図であり、（ａ）は別部品である蓋部材１９を示した図であり、（ｂ）は蓋部材１９が取り付けられるバッグ１ｄを示した図である。
【図１２】第四の実施形態のバッグ１ｄを示した図であり、（ａ）は上側から見た平面図であり、第一収納部が閉じられた状態を示し、（ｂ）は（ａ）のＦ視図である。
【図１３】第五の実施形態のバッグ１ｅを示した図であって提手１８が第一収納部２の内側より上側に向かって取り付けられた状態を示した図である。
【発明を実施するための形態】
【００２３】
以下、図面を参照し、本発明を具現化したバッグ１を説明する。参照する図面は、本発明が採用しうる技術的特徴を説明するために用いられるものである。図面に記載されている装置の構成は、それのみに限定する趣旨ではなく、単なる説明例である。
【００２４】
＜バッグ１共通の構成＞
図１〜図３を参照して、バッグ１の概要を説明する。第一の実施形態から第五の実施形態のバッグ１はそれぞれ後述するが、まず、共通の構成を説明する。バッグ１は、第一収納部２と第二収納部３とを備える。図３に示すように、第一収納部２は、第一底部４と、第一底部４につながって上下方向における上側に延びる第一側部５とによって袋状に形成される。第二収納部３は、第一収納部２に結合された第二底部７と、第二底部７につながって上下方向における上側に延びる第二側部８と、第一側部５とによって形成される。なお、バッグ１は、上下方向において第一底部４が下側端部にあるとして説明する。
【００２５】
図３に示すように、上下方向と直交する方向を平面方向としたとき、第一収納部２は、第一側部５の上下方向の上側の端部である第一稜線６ａによって第一開口部６が形成される。第二側部８は、第一側部５における平面方向の外側に沿って全周に形成される。第二収納部３は、第二側部８の上下方向の上側の端部である第二稜線９ａと、第一稜線６ａとによって囲まれて第二開口部９が環状に形成される。
【００２６】
ここで、平面方向における外側と内側についてさらに詳細に説明する。第一開口部６、第一収納部２、第二開口部９、及び第二収納部３は環状に形成されており、平面方向におけるそれぞれの中心に対して、中心から遠ざかる方向が外側であり、中心に向かう方向が内側である。例えば、図３に示すように、第一開口部６の第一稜線６ａにおいて、第一開口部６の中心から遠ざかる方向が第一稜線６ａの外側であり、中心に向かう方向が第一稜線６ａの内側である。第一稜線６ａの周長Ｌ１と第二稜線９ａの周長Ｌ２との差と、第一底部４を形成する周長Ｌ３と第二底部７を形成する周長Ｌ４との差とは異なる長さである。すなわち、第二収納部３において、第二開口部９における平面方向の隙間と、第二底部７における平面方向の隙間とが異なる。第二開口部９の隙間と第二底部７の隙間との大小関係は後述する。
【００２７】
次に、バッグ１における共通の構成を詳細に説明する。図３に示すように、バッグ１における第一収納部２は、第一底部４と、第一底部４の外周に沿って上側に略円筒状に延びる第一側部５とからなる袋状部材によって形成されている（図３では、第一側部５は円錐形状で表されている）。バッグ１において、第一底部４を上下方向の下端としたとき、第一側部５は第一底部４から上下方向の上側に延びている。第一側部５は、第一底部４のまわりに連続的につながって環状に形成されている。図３及び図４（ｂ）に示すように、第二収納部３は、第一収納部２の平面方向の外側に形成されている。
【００２８】
図３に示すように、第二収納部３は、第二底部７と、第二底部７の外周に沿って略円筒状に上側に延びる第二側部８と、第二側部８の平面方向の内側にある第一側部５とに挟まれて形成されている。第二収納部３は、第一収納部２の平面方向の外側を取り巻くように連続して形成され、環状の物品をそのまま収納可能である。第二収納部３は、形成される空間が比較的狭いため、第一収納部２に比べて比較的薄い物品を挿入するのに適している。図４（ｂ）に示す例では、バッグ１は、二つの異なる袋状部材を用意し、第一の袋状部材の中に第二の袋状部材を挿入して重ね合わせる構成である。このうち、第二の袋状部材が第一収納部２を形成し、第一の袋状部材と第二の袋状部材との間に生じる平面方向の隙間が第二収納部３を形成する。後述するように、バッグ１は、二つの袋状部材を使用するのではなく、一つの袋状部材によって形成される第一収納部２に、第二側部８の上下方向における下側の端部を結合させて第二収納部３を形成しても良い。
【００２９】
バッグ１は、種々の材料を選択することができる。柔軟性のある材料が好ましいが、例えば、ポリエチレン、ナイロン、ビニール等の樹脂材料、或いはポリエステル繊維、ポリウレタン繊維等を選択することができる。本発明の趣旨を逸脱しない範囲でその他の材料を選択することも可能である。
【００３０】
バッグ１（１ａ）は、提手１８（１８ａ、１８ｂ）が取り付けられている。図１に示す提手１８ａは、第二側部８の平面方向の外側に取り付けられている。提手１８ａの周辺は補強のための補強部材３７ａが取り付けられている。図１の例では、補強部材３７ａは第二側部８の外周に沿った全周に取り付けられているが、提手１８ａの周辺のみに取り付けられても良い。後述するが、図１３に示すように提手１８ａ（１８ｂ）は第一側部５の平面方向内側に取り付けられても良い。また、詳細は後述するが第二開口部９の上側は、蓋部１５によって覆うことができる。
【００３１】
図１に示すように、第一開口部６の内側には、蓋部１５によって第二開口部９を覆った状態で、面ファスナー３３が複数箇所に取り付けられている。図３は蓋部１５が閉じられていない状態を示し、第二側部８の平面方向外側の上側の端部に面ファスナー３３が示してある（提手１８ａの近傍）。図２（ａ）に示すように、面ファスナー３３同士を接合することにより、第一開口部６を閉じることができる。例として、面ファスナー３３によって第一開口部６を閉じる構成を説明したが、例えばボタン３４を使用しても良い。
【００３２】
第二側部８は透明の素材により形成されている。図１及び図２（ｂ）に示すように、第二収納部３に収納された物１００は、第二側部８の外側から目視することができる。例えば、第二収納部３に収納された物１００が装飾性を有するものであると、バッグ１の見栄えが良くなる。
【００３３】
＜第一の実施形態の構成＞
次に、本発明に係る第一の実施形態のバッグ１ａを説明する。図３、図４に示すように、第一開口部６の周長Ｌ１と第二開口部９の周長Ｌ２との差は、第一底部４を形成する周長Ｌ３と第二底部７を形成する周長Ｌ４との差よりも大きい。図４に示すように、周長Ｌ１と周長Ｌ２との差によって、第二開口部９において物１００を挿入するときの挿入幅、すなわち隙間３０ａが形成される。また、周長Ｌ３と周長Ｌ４との差によって、第二収納部３の底である第二底部７の隙間３１ａが形成される。例えば、図３、図４に示す例では、第二底部７は第一側部５と第二側部８とが接触して形成されているため隙間３１ａがほぼ無い状態であるが、周長Ｌ４が周長Ｌ３よりもさらに大きくなって隙間３１ａが形成されてもよい。
【００３４】
ここで、周長Ｌ１と周長Ｌ２との差と、周長Ｌ３と周長Ｌ４との差との比は、隙間３０ａと隙間３１ａとの比に置き換えられる（周長は、直径に円周率を掛けたものなので）。例として、隙間３０ａは、隙間３１ａに対して１．５倍程度とすることができる。例えば、隙間３１ａが平均的に１０ｍｍの場合、隙間３０ａは平均的に１５ｍｍ以上とすることができる。なお、隙間３０ａと隙間３１ａとの比は、バッグ１ａの使用用途、及び第二収納部３に収納する物１００によって変更が可能である。これは、第二の実施形態のバッグ１ｂにおいても同様である。さらに、図３〜図６に示すように、第一開口部６は、平面方向における外側に向かって拡張可能である。これは、第二の実施形態のバッグ１ｂにおいても同様である。
【００３５】
図３〜図６に示すように、バッグ１ａは、第一開口部６が、第一側部５の一部を互いに折り重ねて接合する重ね接合部材１４を備える。第一開口部６の周長Ｌ１は、重ね接合部材１４が接合したときに、重ね接合部材１４が接合していないときに比べて小さくなる。重ね接合部材１４は、第一開口部６の周長Ｌ１に応じて１個以上の任意の数を設けることができる。重ね接合部材１４が接合した状態で、第一開口部６の周長Ｌ１と第二開口部９の周長Ｌ２との差が、第一底部４を形成する周長Ｌ３と第二底部７を形成する周長Ｌ４との差よりも大きい関係が成り立つ。
【００３６】
図３と図４は、重ね接合部材１４が接合した状態を示す。重ね接合部材１４は、一例として面ファスナー１４ａが使用される。図５（ａ）と図６は、重ね接合部材１４が分離して第一側部５が展開された状態を示す。第一側部５には、重ね接合部材１４が接合される際に折り曲げられる折り曲げ線４０ｂが１箇所につき２本形成されている。図５（ａ）及び図６（ａ）に示すように、中央の折り曲げ中心線４０ａに対して対象となるように第一底部４から放射状に２本の折り曲げ線４０ｂが形成されている。折り曲げ線４０ｂを挟んで対象の位置に面ファスナー１４ａが対になって取り付けてある。一方の対の面ファスナー１４ａは第一側部５の平面方向の内側に取り付けられ、他方の対の面ファスナー１４ａは第一側部５の平面方向の外側に取り付けられている。
【００３７】
図５において、向かって右側の折り曲げ線４０ｂは谷折りされ、向かって左側の折り曲げ線４０ｂは山折りされる。図６（ａ）に示すように、第二収納部３に物１００を挿入し、重ね接合部材１４を分離して第一開口部６を広げると、第二開口部９における隙間が縮小される。
【００３８】
図５（ｂ）、図５（ｃ）は、第二底部７が第一収納部２における第一底部４の下側に結合された状態を示す。図５（ｂ）は、面ファスナー３５ａが第一底部４の下側に、面ファスナー３５ｂが第二底部７の上側に取り付けられ、面ファスナー３５ａと面ファスナー３５ｂとが接合している。図５（ｃ）は、ボタン３６ａが第一底部４の下側に、ボタン３６ｂが第二底部７の上側に取り付けられ、ボタン３６ａとボタン３６ｂとが接合している。いずれの場合も、分離可能なので、第一収納部２と第二収納部３とを別体とすることが可能である。なお、分離可能な構成ではなく、第二底部７が第一収納部２における第一底部４の下側に溶着或いは接着により分離不能にしてもよい。
【００３９】
図５（ｄ）は、図５（ｂ）及び図５（ｃ）とは異なる別の例を示す。図５（ｂ）、図５（ｃ）の場合、第二収納部３は第二底部７と第二側部８により囲まれた袋状の形態であり、第二収納部３の内部に第一収納部２を挿入してバッグ１が形成されている。これに対して、図５（ｄ）の例では、第二底部７は第二側部８の下側の端部が第一側部５の下側の端部に結合して形成される。この場合、第二側部８は環状に形成されたシート状の部材である。
【００４０】
図１〜図７に示すように、バッグ１ａは第一側部５と接合して第二開口部９を覆う蓋部１５を備える。蓋部１５の構成を説明する。図３に示すように、第一側部５は上側の端部における平面方向の内側に第一接合部材１６を備え、第二側部８は、上側の端部における平面方向の内側に第二接合部材１７を備える。第二側部８は第一側部５よりも上側に長く形成され、第二側部８の上側の一部が第一側部５の平面方向の内側に折り込まれ、第一接合部材１６と第二接合部材１７とが接合することで第二開口部９が覆われる（図６（ｂ）、図７参照）。
【００４１】
蓋部１５は単独の部品ではなく、第二側部８の一部によって形成される。図６（ａ）に示したように、第二開口部９における隙間が縮小されたのちに第二側部８の上側の一部を第一収納部２の平面方向の内側に折り込むことにより、蓋部１５を形成する第二側部８に発生するしわを少なくすることができる。図６（ｂ）は、蓋部１５によって第二開口部９が覆われた状態を示し、第一接合部材１６と第二接合部材１７は面ファスナー１６ａと面ファスナー１７ａを使用した例を示す。図７は、図６（ｂ）に対して第一接合部材１６と第二接合部材１７がボタン１６ｂとボタン１７ｂを使用した例を示す。
【００４２】
図１に示すバッグ１ａの第二側部８は透明である。第二側部８はバッグ１ａの側面に当たる部分なので、第二側部８が透明の場合は第二収納部３に収納された物１００を外部から目視することができる。
【００４３】
＜第二の実施形態の構成＞
次に、本発明に係る第二の実施形態のバッグ１ｂを説明する。第一の実施形態のバッグ１ａと共通する構成については同様の符号を付すか或いは省略し、説明を省略する場合がある。後述する第三の実施形態のバッグ１ｃから第五の実施形態のバッグ１ｅについても同様である。
【００４４】
図８に示すように、バッグ１ｂはバッグ１ａに対して第一側部５と第一開口部６の構成が異なる。バッグ１ｂは、第一側部５が伸縮性を有する素材によって形成され、第一開口部６は平面方向において伸縮可能であり、自然状態では第一開口部６の周長Ｌ１は、第一底部４を形成する周長Ｌ３よりも小さい。
【００４５】
第一側部５に使用される伸縮性を有する素材は種々選択可能である。一例として、ポリエステル系複合繊維が考えられるが、その他の素材を使用しても良い。また、第一側部５に使用する素材を網状に形成し、伸縮性を持たせても良い。第一開口部６は、外力を加えると平面方向の外側に広げることができる。図８（ｂ）に示すように、自然状態では第二開口部９の隙間３０ａが広がった状態であり、物１００を挿入しやすくなる。
【００４６】
なお、蓋部１５は第一の実施形態のバッグ１ａと同様なので説明を省略する。また、図示しないが、提手１８は第一の実施形態のバッグ１ａと同様に備えられている。その他、特に説明しない構成は第一の実施形態のバッグ１ａと同様である。
【００４７】
＜第三の実施形態の構成＞
次に、本発明に係る第三の実施形態のバッグ１ｃを説明する。バッグ１ｃは、図９に示すように第一開口部６の周長Ｌ１と第二開口部９の周長Ｌ２との差は、第一底部４を形成する周長Ｌ３と第二底部７を形成する周長Ｌ４との差よりも小さい。周長Ｌ１と周長Ｌ２との差は、第二開口部９において物１００を挿入するときの挿入幅、すなわち隙間３０ｂを形成する。また、周長Ｌ３と周長Ｌ４との差は、第二収納部３の底である第二底部７の隙間３１ｂを形成する。ここで、第一の実施形態と同様、周長Ｌ１と周長Ｌ２との差と、周長Ｌ３と周長Ｌ４との差との比は、隙間３０ｂと隙間３１ｂとの比に置き換えられる（周長は、直径に円周率を掛けたものなので）。例として、隙間３１ｂは、隙間３０ｂに対して１．５倍程度とすることができる。例えば、隙間３０ｂが平均的に１０ｍｍの場合、隙間３１ｂは平均的に１５ｍｍ以上とすることができる。なお、隙間３０ｂと隙間３１ｂとの比は、バッグ１ｃの使用用途、及び第二収納部３に収納する物１００によって変更が可能である。
【００４８】
バッグ１ｃは、第一の実施形態のバッグ１ａと同様に蓋部１５を備え、構成も同様である。バッグ１ｃは、バッグ１ａの隙間３０ａに比べて隙間３０ｂが小さいので、第一開口部６を周方向に拡張することなく、蓋部１５によって第二開口部９を覆うことができる。その他、特に説明しない構成は第一の実施形態のバッグ１ａと同様である。
【００４９】
＜第四の実施形態の構成＞
次に、本発明に係る第四の実施形態のバッグ１ｄを説明する。図１１に示すように、第一の実施形態のバッグ１ａから第三の実施形態のバッグ１ｃとは異なり、蓋部１５は蓋部材１９を備える。さらに、第一側部５と第二側部８における上下方向の上側は略同一の高さである。また、第一開口部６は、平面方向における外側に向かって拡張可能でなくてもよい。
【００５０】
図１１（ａ）に示すように、バッグ１ｄの蓋部１５は、第一側部５と第二側部８とに接合可能な蓋部材１９を備える。蓋部材１９が第二開口部９に装着される方向において、蓋部材１９は、第二開口部９の平面形状に沿って形成された環状の部材であって、天板部２０と天板部２０より下側に向かって形成された蓋第一側部２１と蓋第二側部２２とを備える。
【００５１】
蓋第一側部２１は天板部２０に対して平面方向の内側に環状に形成され、蓋第二側部２２は天板部２０に対して平面方向の外側に環状に形成される。蓋第一側部２１と蓋第二側部２２とによって下側に向かって開口する環状の蓋開口部２３が形成される。蓋第一側部２１における平面方向の外側に第一蓋接合部２４と、蓋第二側部２２における平面方向の内側に第二蓋接合部２５が備えられる。
【００５２】
図１１（ｂ）に示すように、第一側部５は、平面方向の内側に第三接合部２６を備え、第二側部８は、平面方向の外側に第四接合部２７を備える。蓋部材１９が第二開口部９に取り付けられたとき、第一蓋接合部２４と第三接合部２６、及び第二蓋接合部２５と第四接合部２７とが接合する。
【００５３】
図１１に示すように、蓋部材１９はその断面が三角状の天板部２０と蓋第一側部２１と蓋第二側部２２とによって環状の蓋形状が形成されている。蓋部材１９は、蓋第一側部２１と蓋第二側部２２とによって平面方向に所定の幅２８が形成される。幅２８は、第二開口部９の平面方向の隙間３０ｃに対応した寸法に設定される。この場合、バッグ１ｄは、第二開口部９の平面方向に所定の隙間３０ｃがあっても蓋部材１９によって第二開口部９を覆うことができる。
【００５４】
＜第五の実施形態の構成＞
次に、本発明に係る第五の実施形態のバッグ１ｅを説明する。図１３に示すように、第一の実施形態のバッグ１ａから第四の実施形態のバッグ１ｄとは、提手１８が取り付けられた位置が異なる。他の構成は、第一の実施形態のバッグ１ａと同様である。バッグ１ｅは、第一収納部２の内側より上側に向かって提手１８ｂを備える。
【００５５】
図１３に示すように、提手１８ｂは第一側部５の平面方向の内側に取り付けられている。提手１８ｂの周辺は補強のための補強部材３７ｂが第一側部５の平面方向の内側に取り付けられている。この場合、提手１８ｂと補強部材３７ｂは第二側部８には無い。
【００５６】
＜バッグ１の作用・効果＞
以上説明したように、バッグ１は種々の効果を奏する。まず、第一の実施形態〜第五の実施形態のバッグ１に共通する作用と効果を説明する。図３、図４、図８、及び図９に示すように、バッグ１は、第一稜線６ａによって第一開口部６が形成され、第二稜線９ａと第一稜線６ａとによって囲まれた第二開口部９が環状に形成される。第一稜線６ａの周長Ｌ１と第二稜線９ａの周長Ｌ２との差と、第一底部４を形成する周長Ｌ３と第二底部７を形成する周長Ｌ４との差は異なる長さである。よって、第二収納部３は平面方向において第二開口部９と第二底部７とで隙間が異なるので、物１００を挿入するときにスムーズに挿入することができる。
【００５７】
従来の第一収納部２と第二収納部３とに相当する部分を有するバッグは、平面方向において第二開口部９と第二底部７とに当たる部分の隙間が均等であった。或いは、第一側部５に相当する部分と第二側部８に相当する部分とがそれぞれ変形するために、隙間が不均一であった。そのため従来のバッグは、第二開口部９に相当する部分から物１００を挿入しようとすると、挿入過程において物１００が第一側部５又は第二側部８に相当する部分に擦れてしまい、抵抗が発生することでスムーズに挿入することができなかった。
【００５８】
これに対し、バッグ１の第二収納部３は、第二開口部９と第二底部７とで隙間が異なるので、物１００の挿入過程において第一側部５又は第二側部８に擦れることが少なくなり、スムーズに挿入することができる。
【００５９】
また、第二収納部３は第二開口部９から第二底部７までの上下方向において環状の空間を有するので、例えば環状の物１００を環状のまま収納することができる。さらに、バッグ１の第一収納部２のような一つの袋状の凹部に対し、賞状のようないわゆる巻物を収納すると折れてしまうか或いは他の収納物に紛れて損傷してしまうことが考えられる。これに対し、バッグ１は、いわゆる巻物を円筒状のまま第二収納部３に収納することができる。
【００６０】
＜第一の実施形態のバッグ１ａの効果＞
次に、第一の実施形態のバッグ１ａの作用と効果を説明する。図４（ｂ）に示すように、バッグ１ａは、第一稜線６ａの周長Ｌ１と第二稜線９ａの周長Ｌ２との差が、第一底部４を形成する周長Ｌ３と第二底部７を形成する周長Ｌ４との差よりも大きい。この場合、第二収納部３は、第二底部７における平面方向の隙間３１ａに比べて第二開口部９における平面方向の隙間３０ａの方が大きい。よって、第二収納部３に物１００を収納するときにスムーズに挿入することができる。
【００６１】
また、図４〜図６に示すように、バッグ１ａは第一開口部６が平面方向における外側に向かって拡張可能である。この場合、第一開口部６は平面方向に拡張して第二開口部９との隙間３０ａを小さくすることができるので、第二開口部９の上側の端部を閉じやすくなる。
【００６２】
第二開口部９は、平面方向の隙間３０ａが一定以上に大きい場合、蓋部１５によって覆うと蓋部１５にしわが発生して隙間ができるといった問題が起きる。これは、図３に示すように蓋部１５が第二側部８の一部であって、第二側部８を折り曲げて第二開口部９を覆う場合、第二開口部９における平面方向の外側の周長と、平面方向内側の周長とに差が生じてしまうからである。それに対して、隙間３０ａを小さくすることができるので、蓋部１５は第二開口部９を覆うときにしわの発生を抑制することができる。
【００６３】
また、図３及び図４に示すように、バッグ１ａは第一開口部６が平面方向における外側に向かって拡張するための構成を備える。第一側部５の一部を互いに折り重ねて接合する重ね接合部材１４を備え、第一稜線６ａの周長Ｌ１は、重ね接合部材１４が接合したときに、重ね接合部材１４が接合していないときに比べて小さくなる。
【００６４】
この場合、第一収納部２は重ね接合部材１４を接合させることにより、第一底部４を形成する周長Ｌ３に比べて第一稜線６ａの周長Ｌ１を短くすることができる。第一底部４と第二底部７との平面方向の隙間３１ａに比べて、第一開口部６と第二開口部９との平面方向の隙間３０ａを大きくすることができる。よって、バッグ１は、第二収納部３に物１００をスムーズに収納することができる。さらに、重ね接合部材１４を分離することにより、第一開口部６を平面方向の外側に拡張することができる。
【００６５】
図１〜図４、図６〜図８に示すように、バッグ１ａは、第一側部５と接合して第二開口部９を覆う蓋部１５を備える。この場合、第二開口部９が蓋部１５で覆われるので、バッグ１ａは第二収納部３への雨や埃等の侵入を防ぐことができる。なお、この効果は後述する第二の実施形態のバッグ１ｂと第三の実施形態のバッグ１ｃ、及び第五の実施形態のバッグ１ｅも同様である。
【００６６】
図１〜図４、図６〜図８に示すように、バッグ１ａは、第一側部５が上側の端部に第一接合部材１６を備え、第二側部８は、上側の端部に第二接合部材１７を備える。第二側部８は第一側部５よりも上側に長く形成され、第二側部８の上側の一部が第一収納部２の平面方向の内側に折り込まれ、第一接合部材１６と第二接合部材１７とが接合することで第二開口部９が覆われる。この場合、第二側部８が蓋の機能を備え、第二開口部９を覆うことができる。よって、別部品として蓋を用意する必要が無く、第二収納部３への雨や埃等の侵入を防ぐことができる。
【００６７】
図１〜図３、図１１〜図１３に示すように、バッグ１ａ（１ｂ〜１ｅ）は、第二側部８が透明である。この場合、第二側部８から第二収納部３に収納された物１００を目視することができる。例えば、物１００として和服用の帯を装飾的な目的で環状に加工した帯加工品を第二収納部３に収納した場合、外部から収納された帯加工品を目視することができる。バッグ１ａは、装飾的な物１００を挿入しない場合に比べて美感が向上する。
【００６８】
例えば、バッグ１ａは、第二収納部３に予め帯加工品を挿入したものを商品として販売する場合、商品の価値が向上する可能性がある。或いは、バッグ１ａは、第二収納部３に広告等を挿入しておくことで、広告塔の役目を果たすことができる。なお、この構成と効果は第一の実施形態のバッグ１ａ〜第五の実施形態のバッグ１ｅまで共通する内容である。
【００６９】
＜第二の実施形態のバッグ１ｂの効果＞
次に、第二の実施形態のバッグ１ｂの作用と効果を説明する。図８に示すように、バッグ１ｂは、第一側部５が伸縮性を有する素材によって形成され、第一開口部６は平面方向において伸縮可能であり、自然状態では第一稜線６ａの周長Ｌ１は、第一底部４を形成する周長Ｌ３よりも小さい。
【００７０】
この場合、第二収納部３に物１００を収入するときに、第二開口部９の平面方向における隙間３０ａが大きいので挿入しやすい。また、第二収納部３に物１００を収納した後には第一開口部６を平面方向に広げることができるので、第一の実施形態のバッグ１ａと同様に蓋部１５によって第二開口部９を覆うことが容易になる。
【００７１】
＜第三の実施形態のバッグ１ｃの効果＞
次に、第三の実施形態のバッグ１ｃの作用と効果を説明する。図９に示すように、バッグ１ｃは、第一稜線６ａの周長Ｌ１と第二稜線９ａの周長Ｌ２との差が、第一底部４を形成する周長Ｌ３と第二底部７を形成する周長Ｌ４との差よりも小さい。この場合、第二収納部３は第二開口部９における隙間３０ｂから第二底部７の隙間３１ｂへと平面方向の隙間が広がっていく。よって、バッグ１ｃは、第二収納部３に物１００を挿入するとき、第二開口部９に挿入した後は物１００をスムーズに第二底部７へ進めることができる。
【００７２】
＜第四の実施形態のバッグ１ｄの効果＞
次に、第四の実施形態のバッグ１ｄの作用と効果を説明する。図１１に示すように、バッグ１ｄは、蓋部１５が、第一側部５と第二側部８とに接合可能な蓋部材１９を備える。この場合、蓋部材１９は蓋第一側部２１と蓋第二側部２２とによって下側に向かって開口する環状の蓋開口部２３が形成されるので、平面方向において所定の幅を有する。よって、第二開口部９が平面方向において所定の幅を有する場合であっても、蓋部材１９は第二開口部９を覆うことができる。また、蓋部材１９は、第二側部８とは異なる色、又は材質にすることで装飾性を向上させることができる。
【００７３】
＜第五の実施形態のバッグ１ｅの効果＞
図１３に示すように、バッグ１ｅは、第一収納部２の内側より上側に向かって提手１８ｂを備える。この場合、第二収納部３の外周には提手１８ｂが無いので、第二収納部３に物１００を収納しやすい。さらに、提手１８ｂ及び補強部材３７ｂは第一側部５に備えられて第二側部８には備えられないので、外観上は第二側部８の全面を目視できる。よって、第二収納部３に挿入された物１００を目視できる範囲が広くなるので、第二収納部３に挿入する物１００の自由度が大きくなる。
【００７４】
＜変形例＞
なお、本発明は上記の実施形態に限定されるものではなく、種々の変更が可能である。バッグ１は、第二側部８が透明の場合について説明したがこれに限らない。第二側部８は、透明でなくてもよいし、また透明の場合についても無色であってもよいし有色であっても良い。さらに、第二側部８は網目状の材料を使用することにより、不透明の材料であっても、外部から第二収納部３に収納された物１００が目視できるようにしても良い。
【符号の説明】
【００７５】
１、１ａ、１ｂ、１ｃ、１ｄ、１ｅ    バッグ
２    第一収納部
３    第二収納部
４    第一底部
５    第一側部
６    第一開口部
６ａ    第一稜線
７    第二底部
８    第二側部
９    第二開口部
９ａ    第二稜線
１４    重ね接合部材
１５    蓋部
１６    第一接合部材
１７    第二接合部材
１８    提手
１９    蓋部材
２０    天板部
２１    蓋第一側部
２２    蓋第二側部
２３    蓋開口部
２４    第一蓋接合部
２５    第二蓋接合部
２６    第三接合部
２７    第四接合部
Ｌ１    第一稜線の周長
Ｌ２    第二稜線の周長
Ｌ３    第一底部を形成する周長
Ｌ４    第二底部を形成する周長
【図１】
2020000337.tif 000003
【図２】
2020000337.tif 000004
【図３】
2020000337.tif 000005
【図４】
2020000337.tif 000006
【図５】
2020000337.tif 000007
【図６】
2020000337.tif 000008
【図７】
2020000337.tif 000009
【図８】
2020000337.tif 000010
【図９】
2020000337.tif 000011
【図１０】
2020000337.tif 000012
【図１１】
2020000337.tif 000013
【図１２】
2020000337.tif 000014
【図１３】
2020000337.tif 000015